(57)【要約】【課題】本発明は、地域イベント情報をユーザに適切に通知することを目的とする。【解決手段】本発明に係るナビゲーション装置１０１は、地域イベントの開催エリアの位置情報を含む地域イベント情報を取得する情報取得部１１と、地域イベントの開催エリアの位置情報に基づき、地域イベント情報の出力要否を判断する出力判断部１２と、出力判断部１２が出力要と判断した地域イベント情報である出力要地域イベント情報を、移動体に搭載された出力装置に出力させる出力制御部１３と、を備える。【選択図】図１
2018072102.tif 000002
【特許請求の範囲】
【請求項１】
地域イベントの開催エリアの位置情報を含む地域イベント情報を取得する情報取得部と、
前記地域イベントの開催エリアの位置情報に基づき、前記地域イベント情報の出力要否を判断する出力判断部と、
前記出力判断部が出力要と判断した前記地域イベント情報である出力要地域イベント情報を、移動体に搭載された出力装置に出力させる出力制御部と、
を備える、
ナビゲーション装置。
【請求項２】
前記情報取得部は前記移動体の位置情報を取得し、
前記出力判断部は、前記移動体の位置情報と前記地域イベントの開催エリアの位置情報とに基づき、前記地域イベント情報の出力要否を判断する、
請求項１に記載のナビゲーション装置。
【請求項３】
前記地域イベント情報は前記地域イベントの開催日時の情報を含み、
前記出力判断部は、前記地域イベントの開催日時にも基づき前記地域イベント情報の出力要否を判断する、
請求項１又は２に記載のナビゲーション装置。
【請求項４】
前記情報取得部は地図情報を取得し、
前記出力装置は前記移動体に搭載された表示装置を含み、
前記出力制御部は、前記出力要地域イベント情報に係る地域イベントの開催エリアを、他の領域と区別した態様で表す地図を前記表示装置に表示させる、
請求項１から３のいずれか１項に記載のナビゲーション装置。
【請求項５】
前記出力要地域イベント情報に係る地域イベントに関するウェブ情報を検索するウェブ情報検索部を備え、
前記出力制御部は、前記出力要地域イベントに係る地域イベントに関するウェブ情報を前記出力装置に出力させる、
請求項１から４のいずれか１項に記載のナビゲーション装置。
【請求項６】
前記情報取得部は地図情報を取得し、
前記地図情報に基づき前記移動体の走行経路を探索する経路探索部をさらに備え、
前記出力判断部は、前記移動体の走行経路と前記地域イベントの開催エリアの位置情報とに基づき、前記地域イベント情報の出力要否を判断する、
請求項１に記載のナビゲーション装置。
【請求項７】
前記情報取得部は、地図情報をさらに取得し、
前記出力要地域イベント情報に係る地域イベントの開催エリアの位置情報に基づき、前記移動体の走行経路を探索する経路探索部をさらに備える、
請求項１から５のいずれか１項に記載のナビゲーション装置。
【請求項８】
前記経路探索部は、前記出力要地域イベント情報に係る地域イベントの開催エリアを通過しない前記移動体の走行経路を探索する、
請求項７に記載のナビゲーション装置。
【請求項９】
前記経路探索部は、前記出力要地域イベント情報に係る地域イベントの開催エリア内の地点、又は当該地域イベントに関連する駐車場を目的地とする前記移動体の走行経路を探索する、
請求項７に記載のナビゲーション装置。
【請求項１０】
前記経路探索部が、前記出力要地域イベント情報に係る地域イベントの開催エリア内の地点又は前記地域イベントに関連する駐車場を目的地とする前記移動体の走行経路を探索した場合に、前記探索の履歴を前記地域イベント情報の利用履歴として記憶する利用履歴記憶部をさらに備え、
前記出力判断部は、前記利用履歴に基づき前記地域イベント情報の出力要否を判断する、
請求項９に記載のナビゲーション装置。
【請求項１１】
前記情報取得部は、気象情報又は交通情報を取得し、
前記出力制御部は、気象情報又は交通情報に基づき前記出力要地域イベント情報に係る地域イベントの開催期間の中から特定の期間を選択し、当該選択した期間の情報を前記出力装置に出力させる、
請求項１から１０のいずれか１項に記載のナビゲーション装置。
【請求項１２】
コンピュータに、
地域イベントの開催エリアの位置情報を少なくとも含む地域イベント情報を取得させ、
前記地域イベントの開催エリアの位置情報に基づき、前記地域イベント情報の出力要否を判断させ、
出力要と判断された前記地域イベント情報である出力要地域イベント情報を、移動体に搭載された出力装置に出力させる、
ナビゲーションプログラム。
【発明の詳細な説明】
【技術分野】
【０００１】
この発明は、地域イベント情報の出力制御に関する。
【背景技術】
【０００２】
ＶＩＣＳ（Vehicle Information and Communication System、登録商標）により提供される道路交通情報データの一つに、地域イベント情報がある。地域イベント情報とは、祭、グルメイベント、音楽イベントといった地域性のあるイベントに関する情報であり、地域イベントの開催エリア、および開催日時などの情報を含んでいる。
【０００３】
特許文献１には、地図上に多角形のＰＯＩ（Point of Interest）指定領域を設定することが可能なカーナビゲーションシステムが開示されている。特許文献１のカーナビゲーションシステムによれば、ＰＯＩ指定領域に車両が進入した場合に、所定の音楽を再生したり、所定の画像を表示したりするなどの処理が実行される。
【先行技術文献】
【特許文献】
【０００４】
【特許文献１】特開２００１−１８８０１４号公報
【発明の概要】
【発明が解決しようとする課題】
【０００５】
しかし、特許文献１のカーナビゲーションシステムでは、地域イベント情報を活用するものではなかった。本発明は、上述の問題に鑑み、地域イベント情報をユーザに適切に通知することを目的とする。
【課題を解決するための手段】
【０００６】
本発明に係るナビゲーション装置は、地域イベントの開催エリアの位置情報を含む地域イベント情報を取得する情報取得部と、地域イベントの開催エリアの位置情報に基づき、地域イベント情報の出力要否を判断する出力判断部と、出力判断部が出力要と判断した地域イベント情報である出力要地域イベント情報を、移動体に搭載された出力装置に出力させる出力制御部と、を備える。
【０００７】
本発明に係るナビゲーションプログラムは、コンピュータに、地域イベントの開催エリアの位置情報を少なくとも含む地域イベント情報を取得させ、地域イベントの開催エリアの位置情報に基づき、地域イベント情報の出力要否を判断させ、出力要と判断された地域イベント情報である出力要地域イベント情報を、移動体に搭載された出力装置に出力させる。
【発明の効果】
【０００８】
本発明に係るナビゲーション装置は、地域イベントの開催エリアの位置情報を含む地域イベント情報を取得する情報取得部と、地域イベントの開催エリアの位置情報に基づき、地域イベント情報の出力要否を判断する出力判断部と、出力判断部が出力要と判断した地域イベント情報である出力要地域イベント情報を、移動体に搭載された出力装置に出力させる出力制御部と、を備える。従って、地域イベント情報をユーザに適切に通知することができる。
【０００９】
本発明に係るナビゲーションプログラムは、コンピュータに、地域イベントの開催エリアの位置情報を少なくとも含む地域イベント情報を取得させ、地域イベントの開催エリアの位置情報に基づき、地域イベント情報の出力要否を判断させ、出力要と判断された地域イベント情報である出力要地域イベント情報を、移動体に搭載された出力装置に出力させる。従って、地域イベント情報をユーザに適切に通知することができる。
【図面の簡単な説明】
【００１０】
【図１】実施の形態１に係るナビゲーション装置の構成を示すブロック図である。
【図２】実施の形態１に係るナビゲーション装置の動作を示すフローチャートである。
【図３】実施の形態２に係るナビゲーション装置の構成を示すブロック図である。
【図４】実施の形態２に係るナビゲーション装置による地域イベント情報の出力判断を説明する図である。
【図５】実施の形態３に係るナビゲーション装置の構成を示すブロック図である。
【図６】実施の形態３に係るナビゲーション装置による地域イベントの開催エリアの表示例を示す図である。
【図７】実施の形態３に係るナビゲーション装置による地域イベント情報の表示例を示す図である。
【図８】実施の形態３に係るナビゲーション装置による地域イベント情報の表示例を示す図である。
【図９】実施の形態４に係るナビゲーション装置の構成を示すブロック図である。
【図１０】実施の形態４に係るナビゲーション装置の動作を示すフローチャートである。
【図１１】実施の形態４に係るナビゲーション装置による地域イベント情報の表示例を示す図である。
【図１２】実施の形態５，６に係るナビゲーション装置の構成を示すブロック図である。
【図１３】実施の形態５に係るナビゲーション装置の動作を説明する図である。
【図１４】実施の形態６に係るナビゲーション装置の動作を示すフローチャートである。
【図１５】実施の形態６に係るナビゲーション装置による地域イベント情報の表示例を示す図である。
【図１６】実施の形態６に係るナビゲーション装置の動作を説明する図である。
【図１７】実施の形態６に係るナビゲーション装置の動作を説明する図である。
【図１８】実施の形態７に係るナビゲーション装置の構成を示すブロック図である。
【図１９】地域イベント情報の利用履歴を示す図である。
【図２０】実施の形態８に係るナビゲーション装置の構成を示すブロック図である。
【図２１】実施の形態８に係るナビゲーション装置による地域イベント情報の表示例を示す図である。
【図２２】本発明に係るナビゲーション装置のハードウェア構成を示す図である。
【図２３】本発明に係るナビゲーション装置のハードウェア構成を示す図である。
【図２４】車載装置およびサーバによる本発明に係るナビゲーション装置の構成例を示す図である。
【発明を実施するための形態】
【００１１】
＜Ａ．実施の形態１＞
図１は、本発明の実施の形態１に係るナビゲーション装置１０１の構成を示すブロック図である。以下、ナビゲーション装置１０１を車両に搭載された装置として説明するが、必ずしもナビゲーション装置１０１はその全ての構成が車両に搭載されていなくても良い。車両は移動体の一例であり、本発明は車両以外の移動体にも適用可能である。なお、本明細書において「車両に搭載された装置」は、恒常的に車両に搭載される装置の他、必要に応じてユーザが車両に持ち込んで使用する装置を含む。
【００１２】
ナビゲーション装置１０１は、地域イベント情報を車両に搭載された出力装置２１に出力させる装置である。出力装置２１には、表示装置と音声出力装置の一方または両方が適用される。表示装置は、例えば液晶表示装置である。音声出力装置は、例えばスピーカである。図１では、出力装置２１とナビゲーション装置１０１とを別体として示しているが、ナビゲーション装置１０１が出力装置２１を備えていてもよい。
【００１３】
ナビゲーション装置１０１は、情報取得部１１、出力判断部１２、および出力制御部１３を備えて構成される。情報取得部１１は、地域イベント情報出力装置２２から地域イベント情報を取得する。地域イベント情報出力装置２２は、例えばＶＩＣＳのサーバであるが、ＶＩＣＳ以外の交通情報サーバであっても良い。地域イベント情報には、例えば地域イベントの開催日時、開催エリアの位置情報、およびその他の関連情報が含まれる。
【００１４】
出力判断部１２は、地域イベント情報に含まれる開催エリアの位置情報に基づき、地域イベント情報の出力要否を判断する。
【００１５】
出力制御部１３は、出力判断部１２が出力要と判断した地域イベント情報（以下、「出力要地域イベント情報」と称する）を、出力装置２１に出力させる。出力装置２１に表示装置が適用される場合、出力制御部１３は表示装置の表示を制御し、出力装置２１に音声出力装置が適用される場合、出力制御部１３は音声出力装置の音声出力を制御する。
【００１６】
図２は、実施の形態１に係るナビゲーション装置１０１の動作を示すフローチャートである。図２に沿ってナビゲーション装置１０１の動作を説明する。ナビゲーション装置１０１は、例えば車両のアクセサリ電源がオンになったタイミングで動作を開始する。まず、情報取得部１１が地域イベント情報出力装置２２から地域イベント情報を取得する（ステップＳ１１）。次に、出力判断部１２が、地域イベント情報に含まれる開催エリアの位置情報に基づき、地域イベント情報の出力要否を判断する（ステップＳ１２）。
【００１７】
出力判断部１２が地域イベント情報を出力要と判断した場合、出力制御部１３が出力装置２１の出力制御を行い、出力要地域イベント情報を出力装置２１に出力させる（ステップＳ１３）。一方、出力判断部１２が地域イベント情報を出力否と判断した場合、そのまま処理を終了する。
【００１８】
以上で説明したように、ナビゲーション装置１０１は、地域イベント情報を取得する情報取得部１１と、地域イベントの開催エリアの位置情報に基づき地域イベント情報の出力要否を判断する出力判断部１２と、出力要地域イベント情報を出力装置２１に出力させる出力制御部１３とを備えている。従って、出力装置２１からは開催エリアの位置情報に基づき選別された地域イベント情報のみが出力されるため、地域イベント情報をユーザに適切に通知することができる。
【００１９】
＜Ｂ．実施の形態２＞
図３は、本発明の実施の形態２に係るナビゲーション装置１０２の構成を示すブロック図である。ナビゲーション装置１０２は、情報取得部１１が位置情報検出装置２３から車両の位置情報を取得する点が実施の形態１のナビゲーション装置１０１とは異なる。
【００２０】
位置情報検出装置２３は、車両の位置を検出する装置であり、例えばＧＰＳ（Global Positioning System）信号の受信機と、ＧＰＳ信号を補正するジャイロセンサ等の車載センサを備えて構成される。なお、図３では位置情報検出装置２３をナビゲーション装置１０２と別体として示しているが、ナビゲーション装置１０２が位置情報検出装置２３を備えていても良い。
【００２１】
ナビゲーション装置１０２の基本動作は、図２に示すフローチャートの通りであるが、ステップＳ１２における地域イベント情報の具体的な出力要否判断方法が実施の形態１とは異なるため、この点を以下に説明する。
【００２２】
ステップＳ１２において出力判断部１２は、情報取得部１１から地域イベント情報と車両の位置情報とを取得し、これらに基づき地域イベント情報の出力要否を判断する。具体的に出力判断部１２は、図４に示すように車両の位置３２から例えば半径１０ｋｍ以内の領域３３を探索し、領域３３内に地域イベントの開催エリア３４が一部でも含まれる場合に、地域イベント情報を出力要と判断する。一方、領域３３内に開催エリア３４が含まれない場合には、地域イベント情報を出力否と判断する。
【００２３】
以上に説明した方法は出力要否判断の一例であり、出力判断部１２は他の方法によって出力要否を判断しても良い。例えば、出力判断部１２は、車両が地域イベントの開催エリアに進入した場合に地域イベント情報を出力要と判断しても良い。この場合、車両が地域イベントの開催エリアに進入したタイミングで、地域イベント情報を出力装置２１から出力させ、ユーザに通知することができる。あるいは、出力判断部１２は、車両が地域イベントの開催エリアの中から外に出た場合に地域イベント情報を出力要と判断しても良い。この場合、車両が地域イベントの開催エリアの外に出たタイミングで、地域イベント情報を出力装置２１から出力させ、ユーザに通知することができる。
【００２４】
このように、実施の形態２の出力判断部１２は、車両の位置情報と地域イベントの開催エリアの位置情報とに基づき、地域イベント情報の出力要否を判断する。従って、例えば車両の近くで開催される地域イベントの情報を出力する一方、車両の遠くで開催されユーザが利用する可能性が低いと考えられる地域イベントの情報は出力しない等のように、車両と開催エリアの位置関係に基づき地域イベント情報をユーザに通知することができる。
【００２５】
＜Ｃ．実施の形態３＞
図５は、本発明の実施の形態３に係るナビゲーション装置１０３の構成を示すブロック図である。ナビゲーション装置１０３は、情報取得部１１が地図情報記憶装置２４から地図情報を取得し、出力制御部１３が入力装置２５からユーザの入力情報を取得する点が実施の形態２のナビゲーション装置１０２と異なる。
【００２６】
入力装置２５は車両に搭載される装置である。出力装置２１に表示装置が適用される場合、入力装置２５には、当該表示装置と一体的に構成されたタッチパネル、または当該表示装置と別体のタッチパッドを適用することができる。また、入力装置２５は、ユーザの発話音声を認識する音声認識装置であっても良い。図５では入力装置２５をナビゲーション装置１０３と別体として示しているが、ナビゲーション装置１０３が入力装置２５を備えていても良い。
【００２７】
地図情報記憶装置２４は、ＨＤＤ（Hard Disk Drive）又はＳＤなどの記憶媒体で構成され、地図情報を記憶する。図５では地図情報記憶装置２４をナビゲーション装置１０３と別体として示しているが、ナビゲーション装置１０３が地図情報記憶装置２４を備えていても良い。
【００２８】
ナビゲーション装置１０３の基本動作は図２のフローチャートに示した通りであるが、ステップＳ１３における地域イベント情報の具体的な出力方法について、出力装置２１に表示装置が適用される場合を例に、以下説明する。
【００２９】
ステップＳ１３において、出力制御部１３は、情報取得部１１から出力要地域イベント情報、地図情報、および車両の位置情報を取得し、これらに基づき、出力要地域イベント情報に係る地域イベントの開催エリアを他の領域と区別した態様で表す自車位置周辺地図を作成し、表示装置に表示させる。
【００３０】
図６は、出力制御部１３が作成する自車位置周辺地図を示している。図６において、車両の位置３２が三角形のマークで示され、地域イベントの開催エリア３４が他の領域と異なる色で示されている。このような自車位置周辺地図が表示されることにより、ユーザは車両の周辺で開催される地域イベントの情報を知ることができる。
【００３１】
ユーザが表示画面上で地域イベントの開催エリア３４にタッチすると、表示画面は図７に示すように遷移する。図７に示す表示画面には、「ＡＢＣ町でイベントＤが開催中です」という地域イベントの概要メッセージ３５と詳細情報ボタン３６とが表示される。ユーザが表示画面上で詳細情報ボタン３６にタッチすると、表示装置の表示画面は図８に示すように遷移する。図８に示す表示画面には、イベントＤの詳細情報３７として、開催場所、開催日、開催時間、指定駐車場などの情報が表示される。
【００３２】
実施の形態２では、出力判断部１２が車両の位置情報と地域イベントの開催エリアの位置情報とに基づき地域イベント情報の出力要否を判断することについて説明したが、実施の形態３の出力判断部１２はそれに加えて、地域イベント情報に含まれる地域イベントの開催日時の情報に基づき、地域イベント情報の出力要否を判断しても良い。すなわち、出力判断部１２は、現在の日時を地域イベントの開催日時と比較し、現在の日時に地域イベントが開催されている場合には、地域イベント情報を出力要と判断し、そうでない場合に出力否と判断する。これにより、時期外れの地域イベントをユーザに通知することを避けることができる。また、入力装置２５からユーザに所望の日時を指定させ、ユーザが指定した日時に開催されている地域イベントの地域イベント情報を出力要と判断しても良い。
【００３３】
以上に説明したように、本発明の実施の形態３に係るナビゲーション装置１０３によれば、情報取得部１１は地図情報を取得し、出力装置２１は表示装置を含み、出力制御部１３は、地域イベントの開催エリアを他の領域と区別した態様で表す地図を表示装置に表示させる。従って、ユーザは地域イベントの開催エリアを把握することができる。
【００３４】
＜Ｄ．実施の形態４＞
図９は、本発明の実施の形態４に係るナビゲーション装置１０４の構成を示すブロック図である。ナビゲーション装置１０４は、実施の形態３のナビゲーション装置１０３の構成に加えて、ウェブ情報検索部１４をさらに備えている。
【００３５】
ウェブ情報検索部１４は、出力要地域イベント情報に係る地域イベントに関するウェブ情報をインターネット上で検索する。
【００３６】
図１０は、ナビゲーション装置１０４の動作を示すフローチャートである。図１０のステップＳ２１、Ｓ２２は図２のステップＳ１１，Ｓ１２と同様であるため、説明を省略する。出力判断部１２がステップＳ２２で地域イベントの情報を出力要と判断すると、ウェブ情報検索部１４が出力要地域イベント情報に係る地域イベントのウェブ情報を検索する（ステップＳ２３）。
【００３７】
出力制御部１３は、ウェブ情報検索部１４から出力要地域イベント情報に係る地域イベントのウェブ情報を取得し、出力要地域イベント情報と、ウェブ情報の出力装置２１に対する出力制御を行う（ステップＳ２４）。例えば、ウェブ情報検索部１４が出力要地域イベント情報であるイベントＤの公式ウェブサイトを検索した場合、図１１に示すように、出力制御部１３は、イベントＤの公式ウェブサイトのＵＲＬをイベントＤの詳細情報に含めて、出力装置２１である表示装置に表示させることができる。ここで、ユーザがウェブサイトのＵＲＬにタッチすると、ウェブサイトが表示されても良い。
【００３８】
以上に説明したように、実施の形態４に係るナビゲーション装置１０４は、出力要地域イベント情報に係る地域イベントに関するウェブ情報を検索するウェブ情報検索部１４を備え、出力制御部１３は当該ウェブ情報を出力装置２１に出力させる。従って、ＶＩＣＳ等の交通情報サーバを通して得られる地域イベント情報に加えて、地域イベントに関するウェブ情報をユーザに通知することができる。
【００３９】
＜Ｅ．実施の形態５＞
図１２は、本発明の実施の形態５に係るナビゲーション装置１０５の構成を示すブロック図である。ナビゲーション装置１０５は、実施の形態３のナビゲーション装置１０３の構成に加えて、経路探索部１５を備えている。また、ナビゲーション装置１０５の経路探索部１５は、入力装置２５からユーザの操作入力を受ける。
【００４０】
ナビゲーション装置１０５の基本動作は、図２に示すフローチャートの通りであるが、ステップＳ１２，Ｓ２２における具体的な出力要否判断処理が他の実施の形態とは異なるため、以下にナビゲーション装置１０５の出力要否判断処理を説明する。
【００４１】
ユーザが入力装置２５により目的地を入力すると、経路探索部１５は、情報取得部１１から取得した地図情報を参照し、車両の現在位置から目的地までの走行経路を探索する。経路探索部１５が探索した走行経路は出力判断部１２に送られる。
【００４２】
出力判断部１２は、情報取得部１１から取得した地域イベントの開催エリアの位置情報と、車両の走行経路とを比較する。そして、車両の走行経路が地域イベントの開催エリアを通る場合に、出力判断部１２は地域イベント情報を出力要と判断する。一方、車両の走行経路が地域イベントの開催エリアを通らない場合に、出力判断部１２は地域イベント情報を出力否と判断する。図１３は、車両の位置３２から目的地３８までの走行経路３９が地域イベントの開催エリア３４を通る場合の例を示している。このような場合、出力判断部１２は地域イベント情報を出力要と判断する。
【００４３】
以上に説明したように、実施の形態５に係るナビゲーション装置１０５は、地図情報に基づき車両の走行経路を探索する経路探索部１５を備え、出力判断部１２は、車両の走行経路と地域イベントの開催エリアの位置情報とに基づき、地域イベント情報の出力要否を判断する。従って、車両が今後走行する経路が地域イベントの開催エリアに重なる場合、前もって地域イベント情報を出力させて、ユーザに通知することができる。
【００４４】
＜Ｆ．実施の形態６＞
本発明の実施の形態６に係るナビゲーション装置１０６の構成は、図１２に示した実施の形態５に係るナビゲーション装置１０５の構成と同様である。
【００４５】
ナビゲーション装置１０６の動作を、図１４のフローチャートに沿って説明する。図１４のステップＳ３１、Ｓ３２は、図２のステップＳ１１，Ｓ１２と同様であるため説明を省略する。
【００４６】
出力制御部１３は、出力要地域イベント情報の出力装置２１に対する出力制御を行う（ステップＳ３３）。ここで、出力装置２１の一部である表示装置には例えば図１５に示すような表示画面が表示される。図１５に示す表示画面には、イベントＤに関する情報４０の他、目的地設定ボタン４１と、回避経路探索ボタン４２が表示される。
【００４７】
次に、経路探索部１５は、ユーザの入力操作を判断する（ステップＳ３４）。ユーザは、図１５の画面上で、目的地設定ボタン４１または回避経路探索ボタン４２のいずれかにタッチすることができる。ユーザはイベントＤに参加したい場合、目的地設定ボタン４１にタッチすることで目的地設定操作を行う。この場合、タッチ情報が入力装置２５から経路探索部１５に送られる。経路探索部１５は、図１６に示すように、イベントＤの開催エリア３４内の地点を目的地３８とし、車両の位置３２から目的地３８への走行経路３９を探索し（ステップＳ３５）、処理を終了する。ここで、経路探索部１５は、地域イベントの開催エリアの任意の地点を目的地としてもよいし、地域イベントに関連する駐車場を目的地としても良い。ここで、「地域イベントに関連する駐車場」とは、地域イベント情報に記載された指定駐車場、開催エリア内の駐車場、開催エリア外であるが開催エリアの近隣の駐車場など、地域イベントに参加する際に便利な駐車場を指す。
【００４８】
一方、ユーザはイベントＤに参加しない場合、回避経路探索ボタン４２にタッチすることで回避経路探索操作を行うか、あるいは何も操作を行わない。回避経路探索操作が行われた場合、回避経路探索処理が行われる（ステップＳ３６）。つまり、タッチ情報が入力装置２５から経路探索部１５に送られ、図１７に示すように、経路探索部１５が開催エリア３４を通過しない車両の位置３２から目的地３８までの走行経路３９を探索し、処理を終了する。
【００４９】
また、図１５の表示画面に対して一定時間ユーザが何も操作を行わない場合、そのまま処理を終了する。
【００５０】
以上に説明したように、実施の形態６に係るナビゲーション装置１０６は、出力要地域イベント情報に係る地域イベントの開催エリアの位置情報に基づき、車両の走行経路を探索する経路探索部１５を備える。従って、ユーザが地域イベントに参加したい場合には、地域イベントの開催エリアへの走行経路を探索することができ、ユーザが地域イベントに起因する渋滞を避けて運転を行いたい場合には、開催エリアを回避する走行経路を探索することができる。
【００５１】
＜Ｇ．実施の形態７＞
図１８は、本発明の実施の形態７に係るナビゲーション装置１０７の構成を示すブロック図である。ナビゲーション装置１０７は、実施の形態６に係るナビゲーション装置１０６の構成に加えて、利用履歴記憶部１６を備えている。従って、以下には実施の形態６との相違点を中心に説明する。
【００５２】
利用履歴記憶部１６は、ユーザによる地域イベント情報の利用履歴を記憶する。例えば、実施の形態６で説明したように、ユーザが図１５の表示画面で目的地設定ボタン４１にタッチし、経路探索部１５が、地域イベントの開催エリア又は地域イベントに関連する駐車場を目的地とする車両の走行経路を探索した場合、利用履歴記憶部１６は、ユーザが地域イベント情報を利用したものと判断し、当該地域イベント情報の利用履歴を記憶する。
【００５３】
図１９は、利用履歴記憶部１６に記憶された利用履歴の一例を示している。図１９に示すように、例えば、イベント名、イベント種別、利用日時が利用履歴として利用履歴記憶部１６に記憶される。
【００５４】
出力判断部１２は、他の実施の形態で説明した地域イベント情報に係る開催エリアの位置情報に基づく出力要否判断に加えて、利用履歴に基づく出力要否判断を行う。具体的には、地域イベント情報の利用履歴から、ユーザの嗜好を判断し、ユーザの嗜好に一致する地域イベント情報を出力要、そうでない地域イベント情報を出力否と判断する。図１９の例では、ユーザが過去に利用した地域イベント情報の種別が全て音楽であるため、ユーザは音楽に関する地域イベント情報を利用する傾向にあると考えられる。そこで、出力判断部１２は音楽に関する地域イベント情報を出力要と判断し、グルメイベントなど他の種別の地域イベント情報を出力否と判断する。また、走行予定経路の半径１ｋｍ内の領域では種別を音楽に限定せず地域イベント情報を出力し、走行予定経路の半径１ｋｍ外の領域では出力する地域イベント情報のイベント種別を音楽に限定するというように、走行予定経路の遠くで開催される地域イベントについては、ユーザの嗜好に一致したイベント種別の地域イベント情報のみを通知するようにしても良い。
【００５５】
なお、図１９の例では、ユーザが利用した地域イベント情報の履歴を利用履歴記憶部１６に記憶していたが、ユーザが利用しなかった地域イベント情報の履歴も利用履歴記憶部１６に記憶し、ユーザの嗜好を判断するのに用いても良い。
【００５６】
以上に説明したように、実施の形態７に係るナビゲーション装置１０７は、経路探索部１５が出力要地域イベント情報に係る地域イベントの開催エリア内の地点又は地域イベントに関連する駐車場を目的地とする車両の走行経路を探索した場合に、当該探索履歴を地域イベント情報の利用履歴として記憶する利用履歴記憶部１６を備え、出力判断部１２は、利用履歴に基づき地域イベント情報の出力要否を判断する。従って、ユーザの嗜好を考慮して地域イベント情報の出力を行うことができる。
【００５７】
＜Ｈ．実施の形態８＞
図２０は、本発明の実施の形態８に係るナビゲーション装置１０８の構成を示すブロック図である。ナビゲーション装置１０８は、実施の形態１のナビゲーション装置１０１の構成と比較して、情報取得部１１が気象情報出力装置２６から気象情報を、交通情報出力装置２７から交通情報を取得する点が異なる。
【００５８】
気象情報出力装置２６は、例えば気象予報を提供するサーバである。交通情報出力装置２７は、交通情報を提供する例えばＶＩＣＳ等のサーバである。
【００５９】
出力制御部１３は、出力装置２１に出力要地域イベント情報を出力させる他、イベントの参加に適した日時を出力させる。具体的には、出力制御部１３は情報取得部１１から気象情報と出力要地域イベント情報とを取得し、出力要地域イベント情報の開催期間の中から、天候の良い期間をイベントの参加に適した期間として選択し、選択した期間を出力装置２１に出力させる。
【００６０】
図２１は、出力装置２１に表示装置が適用される場合の、表示装置の表示画面例を示している。表示装置には、イベントＤの情報４３と、「開催日のうち、天気の良い日は１１／１２，１３です。」というメッセージ４４が表示される。
【００６１】
以上の説明では、気象情報に基づき地域イベントに参加に適した期間を提案することについて説明したが、同様に、交通情報に基づき地域イベントに参加に適した期間を提案しても良い。具体的には、出力制御部１３は、情報取得部１１から気象情報と出力要地域イベント情報とを取得し、出力要地域イベント情報の開催日時の中から、渋滞の少ない期間あるいは開催エリアにおいて交通規制がない期間を、地域イベントの参加に適した期間として選択し、出力装置２１に出力させる。
【００６２】
また、出力制御部１３は、地域イベント情報と交通情報とを合せて出力装置２１に出力させても良い。これにより、地域イベントに起因する渋滞又は交通規制などの情報をユーザに通知することが可能である。
【００６３】
以上に説明したように、実施の形態８に係るナビゲーション装置１０８によれば、情報取得部１１は、気象情報又は交通情報を取得し、出力制御部１３は、気象情報又は交通情報に基づき出力要地域イベント情報に係る地域イベントの開催期間の中から特定の期間を選択し、当該選択した期間の情報を出力装置２１に出力させる。従って、ユーザが地域イベントに参加するタイミングを決定する上での参考情報を提供することができる。
【００６４】
＜Ｉ．ハードウェア構成＞
上述したナビゲーション装置１０１ないし１０８における情報取得部１１、出力判断部１２、出力制御部１３、ウェブ情報検索部１４、経路探索部１５および利用履歴記憶部１６（以下、「出力判断部１２等」と称する）は、図２２に示す処理回路５１により実現される。すなわち、処理回路５１は、出力判断部１２等を備える。処理回路５１には、専用のハードウェアが適用されても良いし、メモリに格納されるプログラムを実行するプロセッサが適用されても良い。プロセッサは、例えば中央処理装置、処理装置、演算装置、マイクロプロセッサ、マイクロコンピュータ、ＤＳＰ（Digital Signal Processor）等である。
【００６５】
処理回路５１が専用のハードウェアである場合、処理回路５１は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせたものが該当する。出力判断部１２等の各部の機能それぞれは、複数の処理回路５１で実現されてもよいし、各部の機能をまとめて一つの処理回路で実現されてもよい。
【００６６】
処理回路５１がプロセッサである場合、出力判断部１２等の機能は、ソフトウェア等（ソフトウェア、ファームウェアまたはソフトウェアとファームウェア）との組み合わせにより実現される。ソフトウェア等はプログラムとして記述され、メモリに格納される。図２３に示すように、処理回路５１に適用されるプロセッサ５２は、メモリ５３に記憶されたプログラムを読み出して実行することにより、各部の機能を実現する。すなわち、ナビゲーション装置１０１ないし１０８は、処理回路５１により実行されるときに、地域イベントの開催エリアの位置情報を少なくとも含む地域イベント情報を取得するステップと、地域イベントの開催エリアの位置情報に基づき、地域イベント情報の出力要否を判断するステップと、出力要と判断された地域イベント情報である出力要地域イベント情報を、移動体に搭載された出力装置に出力するステップと、が結果的に実行されることになるプログラムを格納するためのメモリ５３を備える。換言すれば、このプログラムは、出力判断部１２等の手順や方法をコンピュータに実行させるものであるともいえる。ここで、メモリ５３には、例えば、ＲＡＭ（Random Access Memory）、ＲＯＭ（Read Only Memory）、フラッシュメモリ、ＥＰＲＯＭ（Electrically Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disk）及びそのドライブ装置等、あらゆる記憶媒体が適用可能である。
【００６７】
以上、出力判断部１２等の各機能が、ハードウェア及びソフトウェア等のいずれか一方で実現される構成について説明した。しかしこれに限ったものではなく、出力判断部１２等の一部を専用のハードウェアで実現し、別の一部をソフトウェア等で実現する構成であってもよい。例えば、出力制御部１３については専用のハードウェアとしての処理回路でその機能を実現し、それ以外についてはプロセッサ５２としての処理回路５１がメモリ５３に格納されたプログラムを読み出して実行することによってその機能を実現することが可能である。
【００６８】
以上のように、処理回路は、ハードウェア、ソフトウェア等、またはこれらの組み合わせによって、上述の各機能を実現することができる。
【００６９】
また、上記ではナビゲーション装置１０１ないし１０８を車載装置として説明したが、車載装置、Portable Navigation Device、通信端末（例えば携帯電話、スマートフォン、およびタブレットなどの携帯端末）、およびこれらにインストールされるアプリケーションの機能、並びにサーバなどを適宜に組み合わせてシステムとして構築されるナビゲーションシステムにも適用することができる。この場合、以上で説明したナビゲーション装置１０１ないし１０８の各機能または各構成要素は、ナビゲーションシステムを構築する各機器に分散して配置されてもよいし、いずれかの機器に集中して配置されてもよい。例えばナビゲーション装置１０１の構成に関して言えば、図２４に示すように、情報取得部１１および出力制御部１３が車載装置６１に配置され、出力判断部１２がサーバ６２に配置された構成であっても良い。
【００７０】
なお、本発明は、その発明の範囲内において、各実施の形態および各変形例を自由に組み合わせたり、各実施の形態および各変形例を適宜、変形または省略したりすることが可能である。
【００７１】
本発明は詳細に説明されたが、上記した説明は全ての態様において例示であり、本発明がそれに限定されるものではない。例示されていない無数の変形例が、本発明の範囲から外れることなく想定され得る。
【符号の説明】
【００７２】
１１  情報取得部、１２  出力判断部、１３  出力制御部、１４  ウェブ情報検索部、１５  経路探索部、１６  利用履歴記憶部、２１  出力装置、２２  地域イベント情報出力装置、２３  位置情報検出装置、２４  地図情報記憶装置、２５  入力装置、２６  気象情報出力装置、２７  交通情報出力装置、１０１，１０２，１０３，１０４，１０５，１０６，１０７，１０８  ナビゲーション装置。
【図１】
2018072102.tif 000003
【図２】
2018072102.tif 000004
【図３】
2018072102.tif 000005
【図４】
2018072102.tif 000006
【図５】
2018072102.tif 000007
【図６】
2018072102.tif 000008
【図７】
2018072102.tif 000009
【図８】
2018072102.tif 000010
【図９】
2018072102.tif 000011
【図１０】
2018072102.tif 000012
【図１１】
2018072102.tif 000013
【図１２】
2018072102.tif 000014
【図１３】
2018072102.tif 000015
【図１４】
2018072102.tif 000016
【図１５】
2018072102.tif 000017
【図１６】
2018072102.tif 000018
【図１７】
2018072102.tif 000019
【図１８】
2018072102.tif 000020
【図１９】
2018072102.tif 000021
【図２０】
2018072102.tif 000022
【図２１】
2018072102.tif 000023
【図２２】
2018072102.tif 000024
【図２３】
2018072102.tif 000025
【図２４】
2018072102.tif 000026